(57)【要約】電気装置のための切換装置（１）は、切換マット（７）上に配置された導電層（１１）を有している。キーボード（２）に伝達される静電的な放電は、導電層（１１）によって、電気装置のケーシング（３）に逃がされる。導電層（１１）は極めて安価に製造することができる。
2004504695.tif 000002
【特許請求の範囲】
【請求項１】
電気装置のための切換装置であって、長手方向摺動可能に案内された、押し下げるために設けられたキーボードと、互いに間隔を置いて保持された電気接点を備えた領域を仕切る弾性的な切換マットと、静電的な放電に対する保護エレメントとが設けられており、切換エレメントが前記電気装置のフレーム部分と結合するために設けられている形式のものにおいて、前記保護エレメント（１０，２０）が、切換マット（７，１５）の、キーボード（２，１４）に面した側に配置された導電層（１１，１８）を有していることを特徴とする、電気装置のための切換装置。
【請求項２】
前記導電層（１１，１８，１９）が導電性の塗料又は接触インクを有している、請求項１記載の切換装置。
【請求項３】
前記導電層（１１，１８，１９）が、金属と比較して高い電気抵抗を有している、請求項１又は２記載の切換装置。
【請求項４】
前記キーボードが、少なくとも一部において、導電層（１９）を有している、請求項１から３までのいずれか１項記載の切換装置。
【発明の詳細な説明】
【０００１】
本発明は、電気装置のための切換装置であって、長手方向摺動可能に案内された、押し下げるために設けられたキーと、互いに間隔を置いて保持された電気接点を備えた領域を制限する弾性的な切換マットと、静電的な放電に対する保護エレメントとが設けられており、前記電気装置のフレーム部分と結合するための切換エレメントが設けられている形式のものに関する。
【０００２】
このような切換装置は、特にコンピュータ又は娯楽産業の装置のためのキーボードにおいてしばしば使用され、実用化されている。この場合保護エレメントは、切換マットの前方に配置された薄板として形成されている。キーの領域において薄板は切欠を有している。使用者が静電的に帯電している場合、２５ｋＶまでの電圧が生じるおそれがあり、この電圧は薄板によって電気装置の質量へ逃がされる。これにより電気装置の電子部品の損傷が回避される。
【０００３】
公知の切換装置の場合の欠点は、薄板が、製造及び取付けに極めてコストのかかる構成部材であるということである。
【０００４】
本発明は、冒頭に述べた形式の切換装置を、特に安価に製造できるように構成するという課題に基づく。
【０００５】
この課題は、本発明によれば、保護エレメントが、切換マットの、キーに面した側に配置された導電層を有していることにより解決された。
【０００６】
保護エレメントを切換マットに取り付けることにより、切換マットの取付け時の放電に対する保護が自動的に生ぜしめられる。これにより、保護エレメントを別個に取り付ける必要がなくなる。さらに、層は、切換マットの製造時に薄板部材と比較して特に安価に提供することができる。これにより、本発明による切換装置は極めて安価となる。本発明の別の利点は、保護エレメントが特に小さな組付け空間しか必要としないということである。
【０００７】
導電層が導電性の塗料又は接触インクを有していることは、本発明の切換装置の製造コストをさらに低減することに寄与する。このような導電性の塗料又は接触インクは大抵は切換マットの内部において接点として利用され、所定の導電性を備えた粒子、例えば黒鉛を有している。
【０００８】
導電性の装置は、例えば公知の保護エレメントの薄板のように、極めて小さな電気抵抗を有することができる。しかしながら、これにより、本発明による切換装置の使用者のための放電が、認識可能な電撃を伴う。使用者にとって認識可能な電撃は、本発明による別の有利な構成によれば、導電層が金属と比較して高い電気抵抗を有しているならば、回避される。
【０００９】
静電的な放電は、本発明の別の有利な構成によれば、キーが少なくとも部分領域において導電層を有しているならば、特に確実に逃がされる。
【００１０】
本発明は多数の実施形態を可能にする。基礎原理をさらに明らかにするために、２つの実施形態が図示されており、以下に説明する。
【００１１】
図１は、本発明による切換装置の断面図であり、
図２は、本発明による、照明装置を有する切換装置の断面図である。
【００１２】
図１は、パネル内に長手方向摺動可能に配置されたキーを備えた切換装置１を示している。切換装置１は、コンピュータ又は娯楽装置のためのキーボードにおいて使用される、互いに並んで配置された多数の切換装置のそれぞれである。図面を簡略化するために、キーボード又は娯楽装置の接地されたケーシング３のうち、側壁の一部が示されている。切換装置１は、パネル４と、このパネル４から間隔を置いて配置された導電プレート５とを有している。導電プレート５には、電気接点６と、別の電気接点８を備えた切換マット７とが配置されている。切換マット７の接点８と導電プレート５とは互いに向かい合って位置している。切換マット７は、ゴム弾性的な材料から形成されており、接点６，８が互いに離間されている図示した位置においては、予負荷されている。これによりキー２が同時に図示した位置に維持される。
【００１３】
キー２を押し下げると切換マット７が変形し、切換マットの接点８が導電プレート５の接点６に対して移動する。さらに、導電プレート５に電子部品９が配置されており、この電子部品は接点６，８の架橋を監視し、電気信号を生ぜしめる。電子部品９は同様に切換マット７の下方に配置されている。キー２に面した側において、切換マット７は、導電層１１を備えた保護エレメント１０を有している。導電層１１は、例えば切換マット７上に配置された電気的接点８のために利用されるような、導電性の塗料又は接触インクとして形成されている。さらに、導電層１１は金属ばね１２を介してケーシング３と結合されている。キー２に接触した場合に生ぜしめられる静電的な放電は導電層１１に到達し、この導電層からケーシング３へ逃がされる。
【００１４】
図２は切換装置１３を示しており、この切換装置の場合、キー１４と切換マット１５とが切欠１６を有している。切欠１６の領域に、ＬＥＤとして形成された光源１７が配置されている。これによりキー１４を照明することができる。切換マット１５は導電層１８を有している。キー１４の一部は同様に導電層１９を有している。これらの導電層は相俟って、静電的な電荷を逃がすための保護エレメント２０を形成している。静電的な放電は、図１に示した切換装置１の場合のように逃がされる。その他の点については、切換装置１３は図１のものとほぼ同様に形成されている。
【００１５】
キーは、導電性材料から形成されるか、導電性材料で塗装されることもできる。切換マットと導電性材料との間の間隙が十分に小さく形成されているならば、この導電性材料を切換マットとを直接に電気的に結合する必要はない。
【図面の簡単な説明】
【図１】本発明による切換装置の断面図である。
【図２】本発明による、照明装置を有する切換装置の断面図である。
【符号の説明】
１　切換装置、　２　キー、　３　ケーシング、　４　薄板、　５　導電プレート、　６　電気接点、　７　切換マット、　８　接点、　９　電子部品、　１０　保護エレメント、　１１　導電層、　１２　金属ばね、　１３　切換装置、　１４　キー、　１５　切換マット、　１６　切欠、　１７　光源、　１８，１９　導電層、　２０　保護エレメント
【国際公開パンフレット】
2004504695.tif 000003
2004504695.tif 000004
2004504695.tif 000005
2004504695.tif 000006
2004504695.tif 000007
2004504695.tif 000008
2004504695.tif 000009
2004504695.tif 000010
2004504695.tif 000011
2004504695.tif 000012
【国際調査報告】
2004504695.tif 000013
2004504695.tif 000014
2004504695.tif 000015
2004504695.tif 000016
2004504695.tif 000017
2004504695.tif 000018